(57)【要約】      （修正有）【課題】遊技領域を拡大することで遊技球の流路を確保でき、しかも球受け皿の遊技球の貯留量を確保し、不正防止効果も高めた遊技機を提供する。【解決手段】遊技盤と、その遊技盤の前面に形成された遊技領域を前方から視認可能とする透明板と、遊技球を一時的に貯留する球受け皿とを有する遊技機であって、遊技領域（複層ガラス１５）の下端位置が球受け皿１３の上端位置よりも下方に位置する。【選択図】図５
2010022809.tif 000002
【特許請求の範囲】
【請求項１】
遊技盤と、その遊技盤の前面に形成された遊技領域を前方から視認可能とする透明板と、遊技球を一時的に貯留する球受け皿とを有する遊技機であって、
前記遊技領域の下端位置が前記球受け皿の上端位置よりも下方に位置することを特徴とする遊技機。
【請求項２】
前記透明板の下端位置が前記球受け皿の上端位置よりも下方に位置することを特徴とする請求項１に記載の遊技機。
【請求項３】
前記透明板の下端側が前記球受け皿の壁面を形成していることを特徴とする請求項１に記載の遊技機。
【請求項４】
前記球受け皿は、正面視で遊技領域にならう凹面部が上端部に形成されていることを特徴とする請求項１乃至３のいずれか１項に記載の遊技機。
【請求項５】
前記球受け皿は、正面視で遊技領域下端部と重なり合う上部領域が透明部材により形成されていることを特徴とする請求項１乃至４のいずれか１項に記載の遊技機。
【請求項６】
前記球受け皿は、正面視で左側上端部から右側上端部に向かって上端部の高さが漸進低くなるように右下がり形状になっていることを特徴とする請求項１乃至４のいずれか１項に記載の遊技機。
【請求項７】
前記球受け皿には前記透明板を通じて遊技盤に向けて光照射する発光手段が設けられていることを特徴とする請求項１乃至請求項６のいずれか１項に記載の遊技機。
【請求項８】
前記球受け皿の貯留部の内壁面は、鉛直方向上端部に向かって遊技者側に傾斜した傾斜面が形成されており、該傾斜面に沿って遊技盤に向けて光照射する発光手段が設けられていることを特徴とする請求項１乃至６のいずれか１項に記載の遊技機。
【請求項９】
前記遊技盤には、前記球受け皿に設けられた発光手段から照射された照射光を拡散するレンズ部が形成された盤面部品が設けられていることを特徴とする請求項７又は８記載の遊技機。
【発明の詳細な説明】
【技術分野】
【０００１】
本発明は遊技機に関する。
【背景技術】
【０００２】
パチンコ機などの遊技機には、外枠に対して開閉可能な内枠に遊技盤が着脱可能に組み付けられ、該内枠には前面枠が開閉可能に設けられている。遊技盤には遊技領域を形成する遊技盤レール（内外レール）が設けられており、その遊技領域には図柄表示装置（液晶表示装置）、遊技釘、入賞口、大入賞口、電動チューリップなどの盤面部品やアウト口などが設けられている。
【０００３】
近年、パチンコ機においては、遊技盤に設けられた図柄表示装置（液晶表示装置）において遊技球が入賞したときの抽選結果やリーチアクション等の演出表示を行なっており、かかる演出表示を効果的に行なうために表示画面が大画面化され、その周囲に設けられるセンター役物も大型化されている（特許文献１参照）。
【特許文献１】特開２００５−７３９３１号公報
【発明の開示】
【発明が解決しようとする課題】
【０００４】
このように遊技領域において表示画面やセンター役物などが大型化すると遊技球が流下する流路が十分確保できなくなる。このため、遊技球の流路（遊技領域）を確保するため、遊技盤やこれを覆う透明板を大型化する必要がある。遊技盤や透明板が上下方向に大型化すると、下方向には球受け皿があるためその上端部よりも下方位置まで拡大できない。なぜなら、前面枠が透明板と球受け皿とで別体で構成され内枠に対して各々開閉可能に構成されている場合には、透明板の位置を下方に下げるほど球受け皿との干渉を回避するため当該球受け皿の高さが低くせざるを得ず遊技球の十分な貯留量を確保できなくなるからである。また、遊技盤や透明板が大型化すると、透明板と球受け皿の嵌合位置が下がり、遊技者の手元に近くなるため当該透明板と球受け皿との隙間から遊技領域へ異物を侵入させやすくなるという課題もある。
【０００５】
本発明の目的は、上記従来技術の課題を解決し、遊技領域を拡大することで遊技球の流路を確保でき、しかも球受け皿の遊技球の貯留量を確保し、不正防止効果も高めた遊技機を提供することにある。
【課題を解決するための手段】
【０００６】
本発明は上記目的を達成するため、次の構成を備えることを特徴とする。
遊技盤と、その遊技盤の前面に形成された遊技領域を前方から視認可能とする透明板と、遊技球を一時的に貯留する球受け皿とを有する遊技機であって、前記遊技領域の下端位置が前記球受け皿の上端位置よりも下方に位置することを特徴とする。
【０００７】
また、前記透明板の下端位置が前記球受け皿の上端位置よりも下方に位置することを特徴とする。
【０００８】
また、前記透明板の下端側が前記球受け皿の壁面を形成していることを特徴とする。
【０００９】
また、前記球受け皿は、正面視で遊技領域にならう凹面部が上端部に形成されていることを特徴とする。
【００１０】
また、前記球受け皿は、正面視で遊技領域下端部と重なり合う上部領域が透明部材により形成されていることを特徴とする。
【００１１】
また、前記球受け皿は、正面視で左側上端部から右側上端部に向かって上端部の高さが漸進低くなるように右下がり形状になっていることを特徴とする。
【００１２】
また、前記球受け皿には前記透明板を通じて遊技盤に向けて光照射する発光手段が設けられていることを特徴とする。
【００１３】
或いは、前記球受け皿の貯留部の内壁面は、鉛直方向上端部に向かって遊技者側に傾斜した傾斜面が形成されており、該傾斜面に沿って遊技盤に向けて光照射する発光手段が設けられていることを特徴とする。
【００１４】
また、前記遊技盤には、前記球受け皿に設けられた発光手段から照射された照射光を拡散するレンズ部が形成された盤面部品が設けられていることを特徴とする。
【発明の効果】
【００１５】
上述した遊技機を用いれば、遊技領域の下端位置が球受け皿の上端位置よりも下方に位置することにより、遊技領域を下方に拡大することができ、或いは遊技領域はそのままで遊技盤の位置を下方に下げることも可能になる。
これによって、遊技領域を下方に拡大した場合には図柄表示装置の表示画面やその周囲に設けられるセンター役物が大型化しても、遊技領域における遊技球の流路を確保することができ、遊技領域をそのまま下方に下げた場合には遊技領域上方に配置される演出領域を拡大することができ、いずれの場合にも遊技者に対する演出効果を高めることができる。
【００１６】
また、透明板の下端位置が球受け皿上端位置よりも下方に位置するので球受け皿が防護壁となり更には球受け皿内部に遊技球が貯留されることもあって、透明板の下端の隙間から遊技領域へ異物を侵入し難くなり防犯性を高めることができる。
【００１７】
また、透明板の下端側が前記球受け皿の壁面を形成していると、遊技領域を下方に拡大しても球受け皿に収容される遊技球の収容量を減らすことなく維持することができる。加えて、遊技盤の下端側が球受け皿の上端位置より下方に延設されて遊技盤レールを発射装置の近くまで配置できるので、遊技球の遊技領域への案内を確実に行なうことができる。
【００１８】
また、球受け皿は、正面視で遊技領域にならう凹面部が上端部に形成されていると、遊技者は遊技機を正面視して拡大された遊技領域の下端部までを視認することができる。
即ち、球受け皿は正面視して左右の上端部が遊技領域の下端部より隆起して形成されているので、球貸し機のノズルから貸し出される遊技球が球受け皿の底部で跳ねても零れないようにすることができる。
或いは、球受け皿は、正面視で遊技領域下端部と重なり合う上部領域が透明部材により形成されていると、遊技領域の視認性と球受け皿の高さを十分確保して球零れを防止することができる。
【００１９】
また、球受け皿は、正面視で左側上端部から右側上端部に向かって上端部の高さが漸進低くなるように右下がり形状になっていると、前面枠が上前面枠と下前面枠とで分離して開閉する遊技機においても、上前面枠の開閉に伴う球受け皿の上端部の干渉を合理的に回避することができ、上前面枠の開閉を行う作業者が、手などを挟むことなく上前面枠の下側を掴んで開閉動作させることができる十分なスペースを設けることができる。さらには、演出などで遊技者に操作される操作ボタンなどを配置する配置スペースの制約が軽減され、汎用性が広がる。
【００２０】
また、球受け皿には透明板を通じて遊技盤に向けて光照射する発光手段が設けられていると、発光手段によって遊技領域にむけて光照射する演出効果に加えて、球受け皿に貯留する遊技球に照射光を乱反射して光らせることも可能になるので、遊技者の興趣を引く演出を行なうことができる。
また、遊技盤の下端側が球受け皿とオーバーラップしているので発光部により遊技盤（特に入賞装置）を照射するのに好適な配置であり、演出効果を高めることができる。
【００２１】
また、球受け皿の貯留部の内壁面は、鉛直方向上端部に向かって遊技者側に傾斜した傾斜面が形成されており、該傾斜面に沿って遊技盤に向けて光照射する発光手段が設けられていると、球受け皿から遊技盤の遊技領域を前面側より広範囲に光照射して光らせることができ、演出効果を高めるとともに、光源の数を減らしてコストダウンを図ることもできる。
【００２２】
また、球受け皿に設けられた発光手段から照射された照射光を拡散するレンズ部が形成された盤面部品が遊技盤に設けられていると、発光手段から照射された照射光をレンズ部で拡散し当該盤面部品の周囲まで拡散光を照射でき、盤面部品の表面に施されためっきや表面彫刻なども光らせて装飾効果を高め、遊技者の興趣を向上させる多彩な演出を行なうことができる。
尚、発光手段は、遊技性と連動して発光させるようになっているが、球受け皿に設けられたボタン等の入力部を遊技者が操作することによって発光させるようにしてもよい。
【発明を実施するための最良の形態】
【００２３】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
先ずパチンコ機１の概略構成について説明すると、パチンコ機１の外形をなす外枠２に対してヒンジ４により内枠３（図２参照）が開閉可能に取り付けられ、該内枠３に対して前面を覆うように前面枠５が開閉可能に取り付けられている。
【００２４】
図２において、内枠３の前面側には遊技盤６が設けられると共に該遊技盤６の下方には遊技領域Ｙ（図１参照）へ向かって遊技球を発射する発射装置７が組み付けられている。また、図１において、遊技盤６の中央部には、図柄表示装置（液晶表示装置）８が設けられている。その周囲にはセンター役物９が設けられている。
【００２５】
図２において、遊技盤６はその背面に固定された盤裏カバー１０により背面側周縁部を支持されている。盤裏カバー１０は内枠３の背面側開口部を覆うように組み付けられている。内枠３の背面側には、遊技球を貯留する球タンク１１や払出装置（図示せず）などの制御基板が収納された基板ケース１２などが設けられている。球タンク１１にはパチンコ機１が配置されたホールの島から遊技球が供給される。
【００２６】
また、図１において、前面枠５の下方には貸球や賞球等の遊技球を一時的に貯留し、該遊技球を発射装置７（図２参照）へ誘導する球受け皿１３が一体に組み付けられている。球受け皿１３の右側には、発射装置７（図２参照）によって遊技領域Ｙへ発射される遊技球の発射力を調節するための発射ハンドル１４が設けられている。
【００２７】
図２において、前面枠５の中央部には、遊技領域Ｙ（図１参照）を覆う複層ガラス（透明板）１５が設けられている。複層ガラス１５は、例えば複数（２枚）のガラス板が所定間隔で平行に支持された透明板が用いられる。複層ガラス１５の上方中央には光透過性の前面枠カバー１６が当該複層ガラス１５より前方にせり出して設けられており、その後方には後述する装飾体１７（演出手段）が各々設けられている。また、図１において、装飾体１７の左右両側には、発光体やスピーカーなどの装飾部１８が設けられている。前面枠カバー１６としては、アクリル樹脂材やポリカーボネイト樹脂材などの光透過性の樹脂材が好適に用いられる。
【００２８】
図２において、複層ガラス１５より後方に設けられた内枠３及び外枠２からなるパチンコ機本体１９内の後方空間部２０に、遊技者が前面枠カバー１６を通じて知覚することが可能な装飾体（例えばパトランプ）１７が例えば遊技盤６（固定部）に組み付けられている。具体的には、図４において、遊技盤６は前面枠カバー１６に対応して遊技領域Ｙ（図１参照）上方に延設されている。この延設された遊技盤６の前面側に装飾体１７が設けられている。また、内枠３の開口部内壁に設けられた板金１６ａに前面枠ベース１６ｂが組み付けられており、これらを覆うように前面枠カバー１６が組み付けられている。前面枠カバー１６により覆われた演出空間部２１が後方空間部２０と連続して形成されている。複層ガラス１５より後方の後方空間部２０（本実施例では遊技盤６）に設けられた装飾体１７が、板金１６ａ及び前面枠ベース１６ｂの貫通孔１６ｃを通じて前方の演出空間部２１へせり出して設けられている。
【００２９】
このように遊技盤６の一部に装飾体１７が組み付けられていると、遊技盤６を交換するだけで、前面枠５を交換せずに機種変更が行なえるようになるため、パチンコ機本体１９を共用したままその機種ごとの演出を行なうことができる。更には図３において、前面枠５に強固な板金５ａや前面枠係合金具５ｂは不要となり、前面枠５の軽量化を図ることもできる。尚、前面枠５の開放端に設けられた前面枠係合金具５ｂは内枠３に設けられた施錠装置３ａと係合可能に設けられている。また、内枠３に設けられた施錠装置３ａは、外枠２に設けられた内枠係合金具２ａと係合可能に設けられている。
【００３０】
また、遊技盤６上に設けられる装飾体１７の一部（壁面部１７ａ）が遊技領域Ｙ（図１参照）を区画する遊技盤レール６ａの一部を形成していてもよい（図４二点鎖線参照）。これにより、装飾領域を遊技盤６上に拡大して装飾効果を高めることができる。
【００３１】
また、装飾体１７の一部が遊技盤６上で遊技領域Ｙ（図１参照）に入り込んで遊技球の球通路１７ｂ（図４破線部参照）が形成されていてもよい。例えば、遊技盤６上で遊技領域Ｙ（図１参照）を形成する装飾体１７に球通路（トンネル通路）１７ｂが設けられ、該球通路に検知スイッチ（図示せず）を配置して遊技球が通過するたびに装飾体１７を点滅させたり、装飾体１７の全部又は一部を移動（回転等）させたりしてもよい。これにより、遊技動作に伴って装飾形態が変化するため、遊技者の興趣を引く演出を行なうことができる。
【００３２】
図５において、パチンコ機本体１９（図２参照）に形成される遊技領域Ｙ（図１参照）の下端位置Ａ（具体的には遊技盤６の下端位置）は球受け皿１３の上端位置Ｂよりも下方に位置するように組み付けられている。また、遊技領域Ｙ（図１参照）を覆う複層ガラス１５の下端位置も球受け皿１３の上端位置Ｂよりも下方に位置するようになっている。また、複層ガラス１５の下端側は球受け皿１３の壁面の一部を形成している。尚、本実施形態の場合、複層ガラス１５と球受け皿１３が前面枠５に一体に組み付けられているので、前面枠５の開閉は支障なく行なえる。
【００３３】
これによって、遊技盤６を下方向に大型化して遊技領域Ｙ（図１参照）の拡大を図ることができるほかに、遊技盤６のサイズを変えずに下方へ位置をずらすことにより遊技盤６の上方に形成される空間部を利用して大型の演出装置を設置することも可能である。また、遊技領域Ｙ（図１参照）を下方に拡大しても或いは遊技盤６の位置を下方に下げても球受け皿１３に貯留できる遊技球の貯留量を減らすことなく貯留量を維持することができる。さらには、球受け皿１３の上端部と複層ガラス１５の下端部に形成される隙間から異物を侵入させることがし難くなるので、防犯性を高めることもできる。加えて、遊技盤６の下端部と球受け皿１３の上端部とをオーバーラップして配置することで、遊技盤レール６ａを発射装置７の近くまで配置できるので、遊技球の遊技領域Ｙ（図１参照）への案内を確実に行なうことができる。
【００３４】
尚、図５において、球受け皿１３に遊技球が供給されると整流通路によって一列に整流されて整流器２２へ誘導され、該整流器２２から１個ずつ発射位置へ誘導される。発射装置７は、ロータリーソレノイド若しくはブラシレスモータなどを駆動源とする打球槌２３を往復動させて遊技球が遊技盤レール６ａに案内されて遊技領域Ｙ（図１参照）に向けて打ち出される。尚、遊技盤６の下端縁にはアウト口２４が設けられており、アウト球通路２５を介して島に回収される。
【００３５】
また、図６において、球受け皿１３には複層ガラス１５を通じて遊技盤６に向けて光照射する発光部（発光手段）２６が設けられていてもよい。発光部２６は、発光基板２６ａに発光素子（ＬＥＤ）２６ｂが実装されている。この場合には、発光部２６によって遊技領域Ｙ（図１参照）に向けて光照射する演出効果に加えて、球受け皿１３に貯留する遊技球に照射光を乱反射して光らせることも可能になるので、遊技者の興趣を引き易く演出効果を高めることができる。尚、上記実施の形態では、複層ガラス１５が球受け皿１３の壁面を形成するとしたが、図６に示す破線のように複層ガラス１５を保護する壁を形成してもよい。さらには、この破線部分を、シートや板などの装飾部材２９を設けて発光部２６により光照射することで一層の演出効果の向上を図ることができる。
【００３６】
図７に球受け皿１３の他の構成を示す。
球受け皿５は前面枠５と一体に形成されている。球受け皿１３は、正面視で遊技領域Ｙにならう凹面部１３ｃが上端部１３ｂに形成されている。これにより、遊技者はパチンコ機１を正面視して拡大された遊技領域Ｙの下端部まで視認することができる。
【００３７】
また、球受け皿１３は正面視で左右の上端部１３ｂが遊技領域Yの下端部より隆起して形成されているので、球貸し機のノズル（図示せず）から貸し出される遊技球が球受け皿１３の底部で跳ねても零れないようにすることができる。
【００３８】
尚、図７において、球受け皿１３は、正面視で遊技領域Ｙ（アウト口２４と遊技盤レール６ａ付近）の下端部と重なり合う上部領域Ｚ（凹面部１３ｃの上部領域）が透明部材１３ｄにより形成されていてもよい。これにより、遊技領域Ｙの視認性と球受け皿１３の高さを十分確保して球零れを防止することができる。この場合、透明部材１３ｄが設けられる球受け皿１３は、発光部２６への配線等が通過しないようにする必要がある。
【００３９】
図１０に、図７のパチンコ機の他例を示す。
球受け皿１３は、正面視で左側（ヒンジ側）上端部１３ｂ１から右側（開放端側）上端部１３ｂ２に向かって上端部１３ｂの高さが漸進低くなるように右下がり形状になっている。図１０において上前面枠５ａと下前面枠５ｂの分割線１３ａは、球受け皿１３の上端部１３ｂ１側で凹面部１３ｃにならい、上端部１３ｂ２側で球受け皿１３より上方となるように形成されている。これにより、前面枠５が一体型のみならず上前面枠５ａ（ガラス枠）を下前面枠５ｂと分離して開放するタイプのパチンコ機１においても上前面枠５ａを球受け皿１３と干渉することなく開閉することができ、汎用性が広がる。
【００４０】
また、図８及び図９は図７のパチンコ機１に設けられた球受け皿１３の構成を示す。
球受け皿１３の貯留部１３ｇの内壁部１３ｅは、鉛直方向上端部１３ｂ側に向かって手前側（遊技者側）に傾斜した傾斜面１３ｆが形成されている。球受け皿１３内には、傾斜面１３ｆに沿って遊技盤６に向けて光照射する発光部（発光手段）２６が設けられている。
このように発光部２６を斜め上方に向けて配置することで、遊技盤６の遊技領域Ｙを広範囲に光照射して光らせることができ、演出効果を高めるとともに、光源の数を減らしてコストダウンを図ることもできる。
【００４１】
図８において、遊技盤６に設けられた盤面部品、例えば電動チューリップ３１の表面にはレンズ部３４が設けられている。また、アタッカー３２の表面には表面彫刻やシール等が貼られた装飾部３２ａや釘３３などが設けられている。
上記構成によれば、球受け皿１３に設けられた発光部２６から照射された照射光をレンズ部３４で拡散し、電動チューリップ３１のみならずその周囲まで拡散光を照射できる。また、盤面部品の背面側に配置された点発光部からでは光照射できない盤面に設けられたシール面やめっき面などにも前面側から広範囲に照射することができ、面発光させることにより装飾効果を高め、遊技者の興趣を向上させる多彩な演出を行なうことができる。
【００４２】
尚、発光部２６は、遊技動作と連動して発光させるようになっているが、図９に示す球受け皿１３に設けられた操作ボタン３５等を遊技者が操作することによって発光させるようにしてもよい。図９において、発光部２６Ａは球受け皿１３の貯留部１３ｇに傾斜面１３ｆに沿って遊技盤６に向けて光照射するように配置され、発光部２６Ｂは、球受け皿１３の操作ボタン３５が設けられた上縁部に遊技盤６に向けて光照射するように配置されている。これにより、球受け皿１３より複層ガラス１５を介して遊技盤６に向けて広範囲に光照射することができる。
また、図８及び図９の球受け皿１３の構成は、図７の前面枠５が一体型のパチンコ機のみならず、図１０の前面枠５が上下分離タイプのパチンコ機１に適用してもよい。
【００４３】
次に装飾体１７の他例について図１１を参照して説明する。
図１１において、遊技盤６の上端中央部は前面枠カバー１６に対向する領域が切欠かれている。即ち、複層ガラス１５の後方の後方空間部２０と複層ガラス１５の前方の演出空間部２１は切欠き部６ｂを通じて連続している（図１２参照）。また、遊技盤６の下端部は球受け皿１３の上端位置より下方まで拡張されている。演出手段としての装飾体（可動体）１７は、後方空間部２０と演出空間部２１との間を移動可能に設けられていてもよい。
【００４４】
また、前面枠５は上下一体ではなく、遊技領域Ｙを覆う上前面枠５ａと球受け皿１３の本体が組み付けられる下前面枠５ｂとで分割されている。球受け皿１３の上端部は遊技領域Ｙ（遊技盤６）の下端側とオーバーラップしているが、球受け皿１３の左右両側が分割線１３ａにより上前面枠５ａと下前面枠５ｂとに対応して分割されているので、上前面枠５ａと下前面枠５ｂのいずれかを単独で開閉することができる。この場合、複層ガラス１５が球受け皿１３（貯留部）に入り込む形となるので、通常の開閉動作では、複層ガラス１５が球受け皿１３に干渉するため、前面枠を全開することができなくなり、不正を防止する効果を有する。また、球受け皿１３の分割部若しくは複層ガラス１５側に磁気センサを設け不正開放を検出すると報知するようにするのが好ましい。
尚、球受け皿１３の上端部が遊技領域Ｙ（遊技盤６）の下端より押し下げられるか、球受け皿１３の上端部が折れ曲がるような構造にすることで、上前面枠５ａのみを開放することも可能である。
【００４５】
図１２において、固定部としての内枠３の内壁面３ａには駆動部２７が設けられている。駆動部２７には駆動源としては例えばモータ，ソレノイド等が設けられる。駆動部２７に連結する支持アーム２８には装飾体（可動体）１７が設けられている。装飾体１７は図１２の後方空間部２０内の基準位置から図１３において支持アーム２８上を前方へ移動した演出空間部２１内の可動位置へ移動可能に設けられる。このとき、装飾体１７に内蔵された光源を発光させ効果音を出力することにより、装飾体１７の動きや光や音の変化と共に多彩な演出をすることができる。装飾体１７のみ支持アーム２８上を移動するようにしたが、装飾体１７を載置した支持アーム２８が進退動するようになっていてもよいし、支持アーム２８が駆動部２７を中心に回動（正逆いずれの方向にも回転）可能に設けられていてもよく、あるいは装飾体１７が回動しながら発光するようになっていてもよい。
【００４６】
図１４は、駆動部２７を遊技盤６の背面側に組み付け、該駆動部２７より駆動伝達する垂直支持部材３０が起立形成されている。この垂直支持部材３０の先端側に支持アーム２８が片持ち状に支持されている。支持アーム２８には装飾体（可動体）１７が移動可能に設けられている。装飾体１７は前述したように図８の後方空間部２０内の基準位置から図１３において支持アーム２８上を前方へ移動した演出空間部２１内の可動位置へ移動可能に設けられる。
このように、複層ガラス１５の後方、本実施例では遊技盤６の後方の後方空間部２０を利用して演出手段を設けることができるので、大掛かりな演出装置を空いたスペースを利用して組み付けることができる。
【００４７】
尚、装飾体１７は上述した遊技盤６の前面若しくは背面に直接取り付けられている実施形態の他に、遊技盤６に設けられるセンター役物９、図柄表示装置（液晶表示装置）を固定する液晶ユニット（盤裏ユニット）などを介して間接的に取り付けられていてもよい。この場合には、遊技盤６としてアクリル樹脂板などの透明遊技盤を用いてもビス等の固定部材がパチンコ機１前面より隠れるため、大型の装飾体１７を設けたことによる装飾効果が減殺するのを防ぐことができる。
【００４８】
また、上記装飾体１７を移動可能に連繋する駆動部２７は内枠３の内壁面３ａに設けられていたが、遊技盤６に切欠き部６ｂを設けずに当該遊技盤６の前面に駆動部２７と装飾体１７を設けてもよい。
また、可動体である装飾体１７の前後動、回動若しくは発光する動作及びこれらの組み合わせについて例示したが、スピーカーなどの音声出力を伴う演出装置を前後動、回動若しくは発光させるかこれらの動作を組み合わせて設けてもよい。
【００４９】
上述した実施形態では遊技機の一例としてパチンコ機について説明したが、他の遊技機、例えば雀球遊技機やアレンジボール遊技機などに適用してもよい。
【図面の簡単な説明】
【００５０】
【図１】パチンコ機の正面図である。
【図２】パチンコ機の縦断面図である。
【図３】パチンコ機の水平断面図である。
【図４】図２の上端側の部分拡大図である。
【図５】図２の下端側の部分拡大図である。
【図６】他例に係る図５に対応するパチンコ機の下端側の部分縦断面図である。
【図７】他例に係るパチンコ機の正面図である。
【図８】図７のパチンコ機の下端側の部分縦断面図である。
【図９】図７のパチンンコ機の水平断面図である。
【図１０】他例に係るパチンコ機の正面図である。
【図１１】他例に係るパチンコ機の正面図である。
【図１２】図１１のパチンコ機の上端側の部分断面拡大図である。
【図１３】図１２の装飾体が移動した状態の部分断面拡大図である。
【図１４】他例に係るパチンコ機の上端側の部分断面拡大図である。
【符号の説明】
【００５１】
１  パチンコ機
２  外枠
２ａ  内枠係合金具
３  内枠
３ａ  内壁面
４  ヒンジ
５  前面枠
６  遊技盤
６ａ  遊技盤レール
６ｂ  切欠き部
７  発射装置
８  図柄表示装置
９  センター役物
１０  盤裏カバー
１１  球タンク  
１２  基板ケース  
１３  球受け皿  
１３ａ  分割線
１３ｂ  上端部  
１３ｃ  凹面部
１３ｄ  透明部材  
１３ｅ  内壁部  
１３ｆ  傾斜面  
１３ｇ  貯留部
１４  発射ハンドル  
１５  複層ガラス  
１６  前面枠カバー  
１６ａ  板金
１６ｂ  前面枠ベース
１６ｃ  貫通孔
１７  装飾体（可動体；演出手段）  
１７ａ  壁面部
１７ｂ  球通路
１８  装飾部  
１９  パチンコ機本体  
２０  後方空間部  
２１  演出空間部  
２２  整流器  
２３  打球槌  
２４  アウト口  
２５  アウト球通路  
２６，２６Ａ，２６Ｂ  発光部
２６ａ  発光基板
２６ｂ  発光素子（ＬＥＤ）
２７  駆動部
２８  支持アーム
２９  装飾部材
３０  垂直支持部材
３１  電動チューリップ  
３２  アタッカー  
３２ａ  装飾部
３３  釘  
３４  レンズ部
３５  操作ボタン
Ｙ  遊技領域
Ｚ  上部領域
【図１】
2010022809.tif 000003
【図２】
2010022809.tif 000004
【図３】
2010022809.tif 000005
【図４】
2010022809.tif 000006
【図５】
2010022809.tif 000007
【図６】
2010022809.tif 000008
【図７】
2010022809.tif 000009
【図８】
2010022809.tif 000010
【図９】
2010022809.tif 000011
【図１０】
2010022809.tif 000012
【図１１】
2010022809.tif 000013
【図１２】
2010022809.tif 000014
【図１３】
2010022809.tif 000015
【図１４】
2010022809.tif 000016